(57)【要約】【課題】通常使用する媒体よりも長い長尺媒体を扱うことができる画像記録装置においては、媒体を支持する媒体トレイが長くなってしまい、装置の設置面積が大きくなってしまう。【解決手段】画像記録装置の媒体吸入部に接続され、画像記録用の媒体を載置する媒体受け部と、媒体受け部に載置される媒体後部の角度をを変えて支持する媒体支持部とからなる媒体トレイとする。この場合、媒体受け部より長い記録媒体は、媒体受け部の後部から向きを変えて支持されるので、媒体トレイの突出する領域を長くすることなく長い媒体を載置するすることができる。【選択図】　　図２
2004091211.tif 000002
【特許請求の範囲】
【請求項１】
積載された記録媒体を１枚ずつ供給して該記録媒体上に画像を記録する画像記録装置に接続される媒体トレイであって、
給紙方向における前方部と後方部とで角度を変えて前記記録媒体を載置する載置部を有することを特徴とする媒体トレイ。
【請求項２】
前記載置部は、前記記録媒体の給紙方向における前方部を載置する媒体受け部と、該媒体受け部の給紙方向における後方で該媒体受け部から起立した角度に配設され、載置される前記記録媒体の給紙方向における後方部を上方に向けてガイドする後部ガイド部とからなることを特徴とする請求項１に記載の媒体トレイ。
【請求項３】
前記媒体受け部又は前記後部ガイド部に配設され、前記媒体受け部又は前記後部ガイド部に沿って載置される前記記録媒体の表面を覆い、該記録媒体が給紙される際に、該記録媒体を前記媒体受け部又は前記後部ガイド部に沿って搬送させるように規制する規制部を有することを特徴とする請求項２に記載の媒体トレイ。
【請求項４】
前記媒体受け部と前記後部ガイド部との間に湾曲部を有することを特徴とする請求項２に記載の媒体トレイ。
【請求項５】
前記載置部の後方に設けられ、載置される前記記録媒体を画像記録装置本体側に折り返す折り返し部を有することを特徴とする請求項１に記載の媒体トレイ。
【請求項６】
前記折り返し部は、前記載置部に配設されて該載置部に載置される前記記録媒体の表面を覆い、該記録媒体が給紙される際に該記録媒体を前記載置部に沿って搬送させるように規制する規制部からなることを特徴とする請求項５に記載の媒体トレイ。
【請求項７】
前記規制部は回転可能な回転部材を有し、前記記録媒体は前記回転部材に支持されて折り返されることを特徴とする請求項６に記載の媒体トレイ。
【請求項８】
前記折り返し部で折り返された前記記録媒体の給紙方向における後方部を、前記載置部の上方で支持する媒体後方支持部を有することを特徴とする請求項５に記載の媒体トレイ。
【請求項９】
前記媒体後方支持部は、載置される記録媒体の長さに対応して複数設けられることを特徴とする請求項８に記載の媒体トレイ。
【請求項１０】
前記媒体後部支持部は、折り返されて下を向く前記記録媒体の表面に当接する回転可能な回転部材を有することを特徴とする請求項８に記載の媒体トレイ。
【請求項１１】
前記媒体後部支持部は、載置される記録媒体の給紙方向における後方部を巻くように保持することを特徴とする請求項８に記載の媒体トレイ。
【請求項１２】
前記媒体後部支持部は、シャフト部材から構成されることを特徴とする請求項８に記載の媒体トレイ。
【請求項１３】
前記載置部は、前記記録媒体の給紙方向における前方部を載置する媒体受け部と、該媒体受け部の給紙方向における後方で該媒体受け部から起立した角度に配設され、載置される前記記録媒体の給紙方向における後方部を上方に向けてガイドする後部ガイド部とからなり、
前記折り返し部は、前記後部ガイド部と、該後部ガイド部の上端から該後部ガイド部を覆って画像記録装置本体側に延在するよう配設される上部ガイド部とからなることを特徴とする請求項５に記載の媒体トレイ。
【請求項１４】
前記上部ガイド部は、画像記録装置本体側を支点に開閉可能であることを特徴とする請求項１３記載の媒体トレイ。
【請求項１５】
前記上部ガイド部は、載置される記録媒体の給紙方向における後方部を支持する媒体後部支持部を有することを特徴とする請求項１３に記載の媒体トレイ。
【請求項１６】
前記媒体後部支持部は、前記記録媒体の後方部を巻くように保持することを特徴とする請求項１５に記載の媒体トレイ。
【請求項１７】
前記後部ガイド部は、シャフト部材から構成されることを特徴とする請求項１３に記載の媒体トレイ。
【請求項１８】
前記上部ガイド部は、シャフト部材から構成されることを特徴とする請求項１３に記載の媒体トレイ。
【請求項１９】
請求項１から請求項１８にいずれかに記載の媒体トレイを備えることを特徴とする画像記録装置。
【請求項２０】
請求項５に記載の媒体トレイを備える画像記録装置であって、
前記折り返し部で折り返された前記記録媒体の給紙方向における後方部は、画像記録装置の上面部に支持されることを特徴とする画像記録装置。
【請求項２１】
請求項１３に記載の媒体トレイを備える画像記録装置であって、
該装置の上面部に記録済みの記録媒体を排出する排出部を有し、
前記上部ガイド部は、前記上面部に接続され前記排出部から排出される記録済みの記録媒体を載置することを特徴とする画像記録装置。
【請求項２２】
前記上面部と前記上部ガイド部との間に空間を有し、
前記媒体トレイの前記載置部に載置される記録媒体の給紙方向における後方部は前記空間内に支持されることを特徴とする請求項２１に記載の画像記録装置。
【発明の詳細な説明】
【０００１】
【発明の属する技術分野】
本発明は、画像記録装置における媒体トレイの媒体支持構造に関する。
【０００２】
【従来の技術】
従来、画像記録装置の前面あるいは側面に形成された媒体吸入部に、記録用媒体を積載し支持するための突出した媒体トレイを設けた装置がある（例えば、特許文献１参照）。積載された記録媒体は１枚づつ画像記録装置内に給紙される。
【０００３】
【特許文献１】
特開平０６−０４８５８３号公報
【０００４】
【発明が解決しようとする課題】
しかしながら、通常使用する媒体よりも長い長尺媒体を扱うことができる画像記録装置においては、従来のような構造の媒体支持トレイを適用する場合、長尺の媒体のほぼ全長に渡って支持する必要がある。したがって、装置の前面あるいは側面から突出する媒体トレイが長くなってしまい、装置の設置面積が大きくなってしまうという課題があった。
【０００５】
【課題を解決するための手段】
上記課題を解決するために、本発明による媒体トレイは、画像記録装置の媒体吸入部に接続され、画像記録用の媒体を載置する媒体受け部と、媒体受け部に載置される媒体後部の角度を変えて支持する媒体支持部とからなることを特徴とする。
【０００６】
【発明の実施の形態】
（第１の実施の形態）
本発明の第１の実施の形態について図面を参照しながら説明する。図１は本発明の第１の実施の形態を示す画像記録装置の外観図である。図に示すとおり、画像記録装置本体２００の一方の側面には記録用媒体を装置内に給紙する媒体給紙部１００、他方には記録された媒体が排出される媒体排出部３００が形成される。
【０００７】
図２は本発明の第１の実施の形態を示す媒体トレイの斜視図である。図に示すように、媒体給紙部１００には、媒体受け台１、ガイド部５、バンド６、媒体ガード７からなる媒体トレイ１０１が画像記録装置本体２００の側面から突出するように取り付けられる。媒体受け台１は合成樹脂で箱状に形成され、その一端１ｂにはガイド５が接合される。ガイド部５は金属製のシャフト部材を組み合わせて形成され、媒体受け台１の媒体受け面１ａと所定の角度をもって接合される。その角度は媒体受け面１ａよりも垂直に近い角度に設けられる。バンド６は合成樹脂から成り、ガイド部５との間に許容し得る媒体のセット枚数による厚さよりも僅かに大きい空隙を形成するようにガイド５部に接合される。媒体ガード７はバンド部からガイド部５に対して平行に延在するように設けられる。
【０００８】
図３は本発明の第１の実施の形態を示す媒体トレイの取り付け部の斜視図である。図に示すとおり、媒体トレイ１０１の画像記録装置本体２００への取り付け部には、上部係合部８及び下部係合部９のそれぞれがトレイの幅方向に対して両側に形成されている。画像記録装置２００の媒体給紙部には媒体吸入部３が形成される。媒体吸入部３の両側に位置するフレーム４には媒体トレイ１０１の係合部８及び９が係合する上部被係合部４ａ及び下部被係合部４ｂが形成される。フレーム４は画像記録装置本体２００を構成する板金部材からなる。
【０００９】
媒体トレイ１０１の上部係合部８及び下部係合部９がそれぞれ、フレーム４に形成される上部被係合部４ａ及び下部被係合部４ｂに係合することにより、媒体トレイ１０１が画像記録装置本体２００に取り付けられる。本実施例では媒体トレイ１０１の媒体受け部１が装置本体に対して所定の角度をもって取り付けられ、これにより効率よく媒体を給紙できるようにしている。
【００１０】
図４は本発明の第１の実施の形態を示す媒体トレイに長尺媒体がセットされた状態を示す図である。図に示すとおり、媒体吸入部３には媒体を１枚づつ繰り出すための繰り出しローラ３０及び付勢されて設けられる摩擦分離片３１が設けられている。長尺媒体Ｐは繰り出しローラ３０に接触するように媒体トレイ１０１上にセットされる。媒体トレイ１０１の媒体受け部１は長さＬの平面状に形成され、長尺媒体Ｐの前部側は媒体受け部１に沿って積載される。本実施形態ではＬの長さは３００ｍｍに設定される。これにより、長尺媒体Ｐの前部は平面上に積載され、繰り出しローラ３０及び摩擦分離片３１に対する長尺媒体Ｐの先端部の接触角度が安定し、媒体吸入部３で媒体ジャムを引き起こすことを防止することができる。Ｌの長さは、少なくとも１００ｍｍ以上であれば安定して繰り出すことができる。長尺媒体Ｐとしては９００ｍｍ〜１２００ｍｍ長さのものがある。
【００１１】
長尺媒体Ｐの上方に伸びる６００ｍｍ以上の後部側はガイド部５及びバンド６、媒体ガード７に囲まれてセットされる。これにより、長尺媒体Ｐの後端部が矢印Ａ方向に倒れることや、長尺媒体Ｐの中部のＡ方向への膨らんで撓み、長尺媒体Ｐがずれ落ちることを防止することができ、ガイド部５を４５°以上に起立させても長尺媒体Ｐを乱さずにセットすることができる。したがって、画像記録装置から突出する領域を大きくすることなく長尺媒体をセットすることができる。
【００１２】
次に本発明の第１の実施の形態の動作について説明する。画像記録装置による印刷が開始されると繰り出しローラ３０が回転を開始し、媒体トレイ１０１に積載された長尺媒体Ｐの最上部の１枚が繰り出される。この際最上部の１枚目とその下の２枚目の媒体とは、摩擦分離片３１により分離され１枚目だけが画像記録装置内へ吸入される。吸入された長尺媒体上には図示せぬ画像形成部により画像が印刷され、媒体排出部３００から搬出され排紙される。
【００１３】
以上のように、本発明の第１の実施の形態に示す媒体トレイによれば、画像記録装置から突出して設けられる媒体受け部に、上方へ起立した角度で構成されるガイド部を設け、ガイド部には媒体を囲むようにバンド、媒体ガード等の起立媒体支持部材を設けたので、長尺媒体の吸入角度を起立させることなく、長尺媒体のセット領域を小さくすることができる。したがって、画像記録装置の設置面積を小さく抑えることができる。
【００１４】
また、媒体は、その後部が上方に向きを変えて保持されることで、立ち上がった媒体後部がその重さにより滑り落ちようとするので、媒体先端においては繰り出しローラ３０に押圧するように働く。したがって、媒体先端を確実に繰り出しローラに接触させることができる。
【００１５】
（第２の実施形態）
次に、本発明の第２の実施の形態について図面を参照しながら説明する。なお、第１の実施形態と同じ構造を有するものについては、同じ符号を付与することによってその説明を省略する。
【００１６】
図５は本発明の第２の実施の形態を示す媒体トレイの斜視図である。図に示すとおり、媒体トレイ１０２は、媒体受け台１０、ガイド部１１、媒体折り返しシャフト１３、サイドフレーム１４、トップフレーム１５、トップガイド１６から構成される。媒体受け台１０は板金部材に曲げ加工を施すことにより箱状に形成され、平面部１０ａ及びその後方底面は円弧状に加工された湾曲部１０ｂが形成される。湾曲部１０ｂの上方には湾曲面に連続するガイド部１１が形成され、その上部には媒体折り返しシャフト１３を支持する支持部１２が設けられる。媒体折り返しシャフト１３は金属製のシャフト部材からなり、ガイド部１１との間に許容し得る媒体セット枚数による厚さよりも僅かに大きい空隙を形成するように支持部１２に支持される。
【００１７】
サイドフレーム１４は金属製のシャフト部材により構成され、媒体受け台１０の両側部から上方に伸びて媒体受け台１０を跨ぐように設けられる。トップフレーム１５は金属製のシャフト部材により構成され、サイドフレーム１４の上部に接合される。トップフレーム１５には長尺媒体Ｐの後端部を支持するための媒体後部支持部１５ａおよび１５ｂが形成される。トップガイド１６は金属製のシャフト部材からなり、トップフレームの両側部において長尺媒体Ｐの後部をガイドするように接合される。
【００１８】
図６は本発明の第２の実施の形態を示す媒体トレイに長尺媒体がセットされた状態を示す図である。図に示すとおり、長尺媒体Ｐは媒体受け台１０の平面部１０ａ、湾曲部１０ｂ、ガイド部１１に渡って裏面側を支持される。そして、長尺媒体Ｐは媒体折り返しシャフト１３の位置において表面側を支持されて折り返され、後端部がトップフレーム１５に設けられた媒体後部支持部１５ａあるいは１５ｂに表面を下にして支持される。本実施形態では９００ｍｍの長尺媒体の場合に後端部が１５ａに掛かるように、また、１２００ｍｍの長尺媒体が１５ｂに掛かるように設定されている。媒体の後部両側辺はトップガイド１６によって横方向を規制される。湾曲部１０ｂの曲率半径およびガイド部１１の高さは長尺媒体Ｐが無理に折り返されることのない大きさに形成される。
【００１９】
次に本発明の第２の実施の形態の動作について説明する。画像記録装置による印刷が開始されると繰り出しローラ３０が回転を開始し、媒体トレイ１０１に積載された長尺媒体Ｐの最上部の１枚が繰り出される。最上部の１枚目は、その後部において、媒体後部支持部１５ａまたは１５ｂを抜けて媒体折り返しシャフト１３で折り返され、ガイド部１１、媒体受け部１０上の湾曲面１０ｂ、平面部１０ａに沿って搬送される。この際最上部の１枚目とその下の２枚目の媒体とは、摩擦分離片３１により分離され１枚目だけが画像記録装置内へ吸入される。吸入された長尺媒体上には図示せぬ画像形成部により画像が印刷され、媒体排出部３００から搬出され排紙される。
【００２０】
以上のように、本発明の第２の実施の形態に示す媒体トレイによれば、画像記録装置から突出して設けられる媒体受け部に、長尺媒体を折り返して媒体受け部上方で媒体後部を支持する媒体支持部を設けたので、長尺媒体の吸入角度を起立させることなく、長尺媒体のセット領域を小さくすることができる。したがって、画像記録装置の設置面積を小さく抑えることができる。
【００２１】
（第３の実施形態）
次に、本発明の第３の実施の形態について図面を参照しながら説明する。なお、第１の実施形態または第２の実施形態と同じ構造を有するものについては、同じ符号を付することによってその説明を省略する。
【００２２】
図７は本発明の第３の実施の形態を示す媒体トレイの斜視図である。図に示すとおり、媒体トレイ１０３は、媒体受け台１０、ガイド部１１、媒体折り返しローラ１７、シャフト１８、サイドフレーム１４、トップフレーム１９、媒体後部支持ローラ２０及び２１、トップガイド２２から構成される。ガイド部１１の上方にはシャフト１８を支持する支持部１２が設けられる。シャフト１８には長尺媒体Ｐを折り返して支持する回転可能な媒体折り返しローラ１７が設けられる。ここで、シャフト１８は、媒体折り返しローラ１７とガイド部１１との間に許容し得る媒体セット枚数による厚さよりも僅かに大きい空隙を形成するように支持部１２に支持される。
【００２３】
トップフレーム１９は金属製のシャフト部材により構成され、サイドフレーム１４の上部に接合される。トップフレーム１９には長尺媒体Ｐの後端部を支持するための媒体後部支持ローラ２０および２２が回転可能に設けられる。トッブガイド２２は金属製のシャフト部材からなり、長尺媒体Ｐの後部をガイドするようにサイドフレーム１４に接合される。
【００２４】
図８は本発明の第３の実施の形態を示す媒体トレイに長尺媒体がセットされた状態を示す図である。長尺媒体Ｐは媒体受け台１０の平面部１０ａ、湾曲部１０ｂ、ガイド部１１に渡って裏面側を支持される。そして、長尺媒体Ｐは媒体折り返しローラ１７の位置において表面側を支持されて折り返され、後端部がトップフレーム１９に設けられた媒体後部支持ローラ２０あるいは２１に表面を下にして支持される。本実施形態では９００ｍｍの長尺媒体の場合に後端部が２０に掛かるように、また、１２００ｍｍの長尺媒体が２１に掛かるように設定されている。媒体の後部両側辺はトップガイド２２によって横方向を規制される。
【００２５】
次に本発明の第３の実施の形態の動作について説明する。画像記録装置による印刷が開始されると繰り出しローラ３０が回転を開始し、媒体トレイ１０１に積載された長尺媒体Ｐの最上部の１枚が繰り出される。この際最上部の１枚目とその下の２枚目の媒体とは、摩擦分離片３１により分離され１枚目だけが画像記録装置内へ吸入される。
【００２６】
最上部の１枚は、その後方において、媒体折り返しローラ１７にて折り返され媒体後部支持ローラ２０または２１によってその表面を下にして支持されており、積層された媒体の重みによりそれぞれの支持ローラ側に押圧される。しかし、媒体折り返しローラ１７、媒体後部支持ローラ２０、２１のそれぞれは回転可能に設けられるので、最上部の１枚が搬送されるにともなって各ローラが回転することにより、媒体搬送において負荷となることを防止することができる。吸入された長尺媒体上には図示せぬ画像形成部により画像が印刷され、媒体排出部３００から搬出され排紙される。
【００２７】
以上のように、本発明の第３の実施の形態による媒体トレイによれば、第２の実施の形態による媒体トレイの効果に加えて、媒体折り返し部、あるいは媒体後部を支持する支持部に回転可能な回転部材を設けたので、給紙動作における媒体搬送の際の負荷となること防止することができる。
【００２８】
本発明による第２および第３の実施の形態では、折り返された媒体後部を媒体受け部１０の上方で支持するようにしているが、折り返された媒体後部を更に画像記録装置本体２００の上方にまで延在させて支持するようにしてもよい。また、折り返された媒体後部を支持する媒体後部支持部等が、載置される記録媒体の長さに対応させて予め決められた所定の位置に複数設けられているが、サイドフレーム１４に高さを調節する手段を設けることで、媒体後部支持部等の高さを調節可能とすることにより、支持部を複数個受けることなく、長さの異なる記録媒体に対応するようにしてもよい。
【００２９】
本発明による上記第１〜第３の実施形態によれば、媒体吸入部に設けられる媒体トレイの突出する領域を長くすることなく長い媒体を載置することが可能となる。しかしながら、媒体排出部３００においては、排出される長尺媒体をスタックするための排紙トレイを設けなければならない。したがって、長尺媒体全体を支持するための突出したトレイを設けなければならないという問題が依然として残る。以下に説明する実施の形態はこの問題を解決するものである。
【００３０】
（第４の実施形態）
図９は本発明の第４の実施の形態を示す画像記録装置の外観図である。なお、上記の実施形態と同じ構造を有するものについては、同じ符号を付与することによってその説明を省略する。図に示すように、画像記録装置２０１側部の媒体給紙部には記録用媒体をセットする媒体トレイ１０４、上部には装置本体２０１内部の消耗部材の交換や補修を行うための開閉可能なアクセスカバ２０２が設けられる。このアクセスカバ２０２上には画像記録済み媒体が排出される媒体排紙部３０１が形成される。
【００３１】
媒体トレイ１０４は、媒体受け部２３、長尺受け部２４、支持部材２５、媒体後部ガイド２６から構成される。媒体受け部２３は画像記録装置本体２０１に対して所定の角度をもって取り付けられ、これにより効率よく媒体を給紙できるようにしている。また、媒体の幅方向をガイドするガイド部材２３ａが設けられ、これにより媒体を斜行させないように装置本体に給紙させることができる。長尺受け部２４は支持部材２５に支持されて装置本体２０１に取り付けられる。また、長尺媒体の搬送方向における中央付近から後方部にかけて媒体を下方に湾曲させて保持できように下方に凹状に形成される。これにより装置本体から突出する領域を大きくすることなく長尺媒体をセットすることができ、装置の設置面積を小さくすることができる。媒体後部ガイド２６は、媒体の後端が長尺受け部２４の後方に垂れ下がらないように媒体後部を規制する。また、図示はしないが、第１の実施形態に示すようなバンド６及び媒体ガード７を媒体後部ガイド２６に設けることにより、長尺媒体Ｐの後端部の倒れ等を防止することもできる。
【００３２】
媒体排紙部３０１は、装置本体２０１内で画像記録された後に反転させられて搬送される媒体を装置上部に排出する。本実施の形態では、排出された記録済み媒体Ｐａがスタックされる長尺スタッカ２７が設けられる。この長尺スタッカ２７は長尺スタッカ支持部材２８に支持され、媒体トレイ１０４に向かって装置本体の上面から所定の角度に立ち上げられて設けられる。これにより、装置本体から突出する領域を大きくすることなく長尺媒体の排紙スタッカを形成することができ、装置の設置面積を小さくすることができる。
【００３３】
次に、記録済み媒体の排出動作について説明する。排出される記録済み媒体Ｐａは長尺スタッカ２７を上るように斜面に沿ってスタックされる。複数枚の記録済み媒体が排出される場合は、先に排出された媒体の上に順次積層されて同様にスタックされる。排出された記録済み媒体の先端部は媒体トレイの上方に搬送されるので、この媒体の先端が媒体吸入部３に巻き込まれて再び吸入されることはない。
【００３４】
以上のように、本発明の第４の実施の形態によれば、装置本体から突出する領域を大きくすることなく長尺媒体のセット及び排紙のスタックをすることができ、装置の設置面積を小さくすることができる。なお、長尺受け部２４及び媒体後部ガイド２６を支持部材２４とともに着脱自在に設けられ、また、長尺スタッカ２７も着脱自在に設けられる。長尺媒体を使用せずに通常サイズの記録媒体を扱う場合にはこれらを装着せず、記録媒体を媒体媒体受け部２３にセットする。排出される記録済み媒体はアクセスカバ２０２上面に形成される排紙スタッカ２０２ａにスタックされる。また、アクセスカバ２０２を開ける場合、長尺スタッカ２７を外す。
【００３５】
（第５の実施形態）
次に、本発明の第５の実施の形態について図面を参照しながら説明する。なお、第４の実施形態と同じ構造を有するものについては、同じ符号を付与することによってその説明を省略する。
【００３６】
図１０は本発明の第５の実施の形態を示す画像記録装置の外観図である。図に示すように、本形態は、第４の実施の形態における長尺スタッカ２７に代えて、長尺スタックガイド２９を設けたものである。長尺後部スタックガイド２９は、媒体トレイ１０５を構成する支持部材２５に設けられた支点２５ａを中心に回動自在であり、その先端部が媒体後部ガイド２６の上端に当接して媒体トレイ１０５を覆うように設けられる。媒体トレイ１０５に長尺媒体をセットする際は、図に示す２点鎖線のように長尺スタックガイド２９を回動させて、空いた空間より媒体を挿入しセットする。
【００３７】
記録済み媒体の排出動作について説明する。記録済み媒体Ｐａはアクセスカバ２０２の上面に形成される排紙スタッカ２０２ａに排出され、更に媒体トレイ１０５に向かって搬送される。媒体トレイ１０５の上部にはこれを覆うように長尺スタックガイド２９が設けられるので、排出された長尺媒体の先端部は長尺スタックガイド２９上に載置される。このように、排出される長尺媒体は排紙スタッカ２０２ａ及び長尺スタックガイド２９にわたってスタックされる。複数枚の記録済み媒体が排出される場合は、先に排出された媒体の上に順次積層されて同様にスタックされる。媒体給紙部は長尺スタックガイド２９により覆われるので排出媒体の先端が媒体吸入部３に巻き込まれて再び吸入されることはない。
【００３８】
以上のように、本発明の第５に実施の形態によれば、給紙部の媒体トレイ上に排出媒体のスタック部を設けたので、装置本体から突出する領域を大きくすることなく長尺媒体のセット及び排紙のスタックをすることができ、装置の設置面積を小さくすることができる。
【００３９】
（第６の実施形態）
次に、本発明の第６の実施の形態について図面を参照しながら説明する。なお、上記の実施形態と同じ構造を有するものについては、同じ符号を付与することによりその説明を省略する。図１１は本発明の第６の実施の形態を示す画像記録装置の斜視図である。図に示すように、画像記録装置２０１側部の媒体給紙部には長尺の記録媒体をセットする媒体トレイ１０６が設けられる。
【００４０】
媒体トレイ１０６は、媒体受け部３０、媒体後部ガイド３１，支持部材３２、上部ガイド支持部材３３、アクセスカバ上部ガイド３４、トレイ上部ガイド３５、媒体押さえ部材３６から構成される。媒体受け部３０は第１の実施の形態と同様に媒体吸入部に取り付けられ、更に、支持部材３２により支持される。媒体後部ガイド３１は、媒体受け部３０にセットされる長尺媒体の後方部を折り返すように規制するとともに、媒体給紙時に、媒体後端部が折り返された状態からまっすぐになる反動でトレイの外側に飛び出ないように規制する。
【００４１】
上部ガイド支持部材３３は、媒体受け部３０の両側部から上方に伸びて設けられ、アクセスカバ上部ガイド３４，トレイ上部ガイド３５、媒体押さえ部材３６を回動可能に支持する。アクセスカバ上部ガイド３４は、アクセスカバ２０２上に所定の空間Ａを空け、媒体排出部２０２ｃから排出される記録済み媒体Ｐａを媒体トレイ１０６の上方へ案内するように位置させることができる。トレイ上部ガイド３５は媒体トレイ１０６を覆うように位置させることができ、アクセスカバ上部ガイド３４と連続的な媒体搬送ガイドを形成する。媒体押さえ部材３６は媒体受け部３０にセットされる媒体を媒体受け部３０上に押さえる。
【００４２】
次に、長尺媒体のセットについて説明する。図１２は本発明の第６の実施の形態における長尺媒体のセット動作を示す図である。長尺媒体Ｐを媒体トレイにセットするには、まず、アクセスカバ上部ガイド３４、トレイ上部ガイド３３、媒体押さえ部材３６を全てアクセスカバ２０２側に回動させる。これにより、媒体受け部３０上部の空間が開放される。長尺媒体Ｐの先端部を媒体受け部３０上に置き、媒体押さえ部材３６を回動させて媒体上に置き媒体を押さえる。これにより媒体受け部３０の載置範囲において長尺媒体Ｐａを押さえることができるので、給紙動作の際に媒体を媒体給紙受け台３０に沿わせて安定的に吸入させることができる。長尺媒体Ｐａの後方部は折り返され、アクセスカバ２０２とアクセスカバ上部ガイド３４との間に空けられた空間Ａ内に挿入される。これにより、より長い長尺媒体をセットすることができる。最後に、トレイ上部ガイド３４を回動させて媒体後部ガイド３１の上端に当接させ、媒体トレイ１０６を覆うようにセットする。
【００４３】
次に、記録済み媒体の排出動作について説明する。図１３は本発明の第６の実施の形態における記録済み媒体の排出動作を示す図である。媒体排出部２０２ｃから排出される記録済み媒体Ｐａは排紙スタッカ２０２ａ上からアクセスカバ上部ガイド３４上を案内され、更にトレイ上部ガイド３５上まで搬送されてスタックされる。複数枚の記録済み媒体が排出される場合は、先に排出された媒体の上に順次積層されて同様にスタックされる。
【００４４】
図１４は本発明の第６の実施の形態にけるアクセスカバの開閉動作を示す図である。本実施形態における画像記録装置は、装置内部のトナーカートリッジ等の消耗部材の交換或いは補修等を行う場合、アクセスカバ２０２を開けて行う。アクセスカバ２０２の開閉動作を行う場合は、アクセスカバ上部ガイド３４をトレイ上部ガイド３５側に重ねるように回動させる。これにより、アクセスカバ２０２上部の空間が開放され、アクセスカバ２０２の開閉動作を行うことはできる。
【００４５】
以上のように、本発明の第６の実施の形態によれば、長尺媒体を折り返してセットし、折り返された媒体の後方部を画像記録装置上に位置させることができるので、装置本体から突出する領域を大きくすることがない。また、装置上部から媒体トレイの上部にかけて記録済み媒体のスタック部を形成したので、排紙用スタッカを突出させることがなく、装置の設置面積を小さくすることができる。
【００４６】
（第７の実施形態）
次に、本発明の第７の実施の形態について図面を参照しながら説明する。なお、上記の実施形態と同じ構造を有するものについては、同じ符号を付与することによりその説明を省略する。図１５は本発明の第７の実施の形態を示す画像記録装置の斜視図である。図に示すように、画像記録装置２０１側部の媒体給紙部には長尺の記録媒体をセットする媒体トレイ１０７が設けられる。
【００４７】
媒体トレイ１０７は、媒体受け部４０、媒体後部ガイド４１、トレイ上部ガイドＡ４２、トレイ上部ガイドＢ４３、媒体後方部保持ガイド４４から構成される。媒体受け部４０は第１の実施の形態と同様に媒体吸入部に取り付けられる。媒体後部ガイド４１は、媒体受け部３０にセットされる長尺媒体の後方部を折り返すように規制するとともに、媒体給紙時に、媒体後端部が折り返された状態からまっすぐになる反動でトレイの外側に飛び出さないように規制する。
【００４８】
トレイ上部ガイドＡ４２は、媒体受け部４０の両側部に回動可能に支持され、排紙スタッカ２０２ａとトレイ上部ガイドＢ４３とを結ぶ連続的な媒体搬送ガイドを形成する位置と、アクセスカバ２０２から離れる位置とに切り換えることができる。トレイ上部ガイドＢ４３は、媒体受け部４０の両側部に回動可能に支持され、媒体トレイ１０７の上部を覆う位置と、媒体受け部４０の上部空間を開放する位置とに切り換えられる。媒体後方部保持ガイド４４はトレイ上部ガイド４３の下部に形成される。トレイ上部ガイド４３と媒体後方部保持ガイド４４とにより囲まれた空間で長尺媒体の後方部を巻くように保持する。媒体後部ガイド４１、トレイ上部ガイドＡ４２、トレイ上部ガイドＢ４３、媒体後方部保持ガイド４４は金属製のシャフト部材により構成され、これにより、トレイ全体の軽量化を図ることができる。
【００４９】
次に、長尺媒体のセットについて説明する。図１６は本発明の第７の実施の形態における長尺媒体のセット動作を示す図である。長尺媒体Ｐを媒体トレイにセットするには、まず、トレイ上部ガイドＢ４３をアクセスカバ２０２側に回動させる。これにより、媒体受け部４０上部の空間が開放される。長尺媒体Ｐの先端部Ｐｆを媒体受け部４０上に置き、後端部Ｐｂをトレイ上部ガイド４３と媒体後方部保持ガイド４４とに囲まれた空間に挿入する。このとき、媒体の後端部Ｐｂはトレイ上部ガイド４３と媒体後方部保持ガイド４４とに囲まれた内側湾曲部に沿って巻かれるように挿入される。最後に、トレイ上部ガイドＢ４３を回動させて媒体後部ガイド４１の上部に当接させ、媒体トレイ１０７を覆うようにセットする。このとき、トレイ上部ガイドＢ４３の回動に伴って、セットされた長尺媒体Ｐの後方部は媒体後方部保持ガイド４４内に更に巻かれて押し込まれる。
【００５０】
次に、記録済み媒体の排出動作について説明する。図１７は媒体排出部２０２ｃから排出される記録済み媒体Ｐａは排紙スタッカ２０２ａ上からトレイ上部ガイドＡ４２上を案内され、更にトレイ上部ガイドＢ４３上まで搬送されてスタックされる。複数枚の記録済み媒体が排出される場合は、先に排出された媒体の上に順次積層されて同様にスタックされる。
【００５１】
図１８は本発明の第７の実施の形態にけるアクセスカバの開閉動作を示す図である。アクセスカバ２０２の開閉動作を行う場合は、トレイ上部ガイドＡ４２をアクセスカバ２０２から離れるように回動させる。これにより、アクセスカバ２０２上部の空間が開放され、アクセスカバ２０２の開閉動作を行うことはできる。
【００５２】
以上のように、本発明の第７の実施の形態によれば、長尺媒体を折り返してセットし、折り返された媒体の後方部を巻いて保持することができるので、装置本体から突出する領域を大きくすることがない。また、装置上部から媒体トレイの上部にかけて記録済み媒体のスタック部を形成したので、排紙用スタッカを突出させることがなく、装置の設置面積を小さくすることができる。
【００５３】
【発明の効果】
以上詳細に説明したように、本発明による媒体トレイは、画像記録装置の媒体吸入部に接続され、画像記録用の媒体を載置する媒体受け部と、媒体受け部に載置される媒体後部の角度を変えて支持する媒体支持部とからなる。この場合、媒体受け部より長い記録媒体は、媒体受け部の後部から向きを変えて支持されるので、媒体トレイの突出する領域を長くすることなく長い媒体を載置するすることができる。
【図面の簡単な説明】
【図１】本発明の第１の実施の形態を示す画像記録装置の外観図である。
【図２】本発明の第１の実施の形態を示す媒体トレイの斜視図である。
【図３】本発明の第１の実施の形態を示す媒体トレイの取り付け部の斜視図である。
【図４】本発明の第１の実施の形態を示す媒体トレイに長尺媒体がセットされた状態を示す図である。
【図５】本発明の第２の実施の形態を示す媒体トレイの斜視図である。
【図６】本発明の第２の実施の形態を示す媒体トレイに長尺媒体がセットされた状態を示す図である。
【図７】本発明の第３の実施の形態を示す媒体トレイの斜視図である
【図８】本発明の第３の実施の形態を示す媒体トレイに長尺媒体がセットされた状態を示す図である。
【図９】本発明の第４の実施の形態を示す画像記録装置の外観図である。
【図１０】本発明の第５の実施の形態を示す画像記録装置の外観図である。
【図１１】本発明の第６の実施の形態を示す画像記録装置の斜視図である。
【図１２】本発明の第６の実施の形態における長尺媒体のセット動作を示す図である。
【図１３】本発明の第６の実施の形態における記録済み媒体の排出動作を示す図である。
【図１４】本発明の第６の実施の形態にけるアクセスカバの開閉動作を示す図である。
【図１５】本発明の第７の実施の形態を示す画像記録装置の斜視図である。
【図１６】本発明の第７の実施の形態における長尺媒体のセット動作を示す図である。
【図１７】本発明の第７の実施の形態における記録済み媒体の排出動作を示す図である。
【図１８】本発明の第７の実施の形態にけるアクセスカバの開閉動作を示す図である。
【符号の説明】
１，１０，２３，３０，４０　　媒体受け部
５，１１　　ガイド部
６　　バンド
７　　媒体ガード
１３　　媒体折り返しシャフト
１５ａ，１５ｂ　　媒体後部支持部
１７　　媒体折り返しローラ
２０，２１　　媒体後部支持ローラ
３１，４１　　媒体後部ガイド
３５　　トレイ上部ガイド
３６　　媒体押さえ部材
４２　　トレイ上部ガイドＡ
４３　　トレイ上部ガイドＢ
４４　　媒体後方部保持ガイド
【図１】
2004091211.tif 000003
【図２】
2004091211.tif 000004
【図３】
2004091211.tif 000005
【図４】
2004091211.tif 000006
【図５】
2004091211.tif 000007
【図６】
2004091211.tif 000008
【図７】
2004091211.tif 000009
【図８】
2004091211.tif 000010
【図９】
2004091211.tif 000011
【図１０】
2004091211.tif 000012
【図１１】
2004091211.tif 000013
【図１２】
2004091211.tif 000014
【図１３】
2004091211.tif 000015
【図１４】
2004091211.tif 000016
【図１５】
2004091211.tif 000017
【図１６】
2004091211.tif 000018
【図１７】
2004091211.tif 000019
【図１８】
2004091211.tif 000020